(57)【要約】【課題】ケーシング内に熱交換器と送風機とを配置してなる空気調和機であって、空気調和機としての性能を低下させることなく、奥行方向のコンパクト化の要請に対して充分に応えることができる空気調和機を提供する。【解決手段】ケーシング１１内に、遠心送風機１８が回転軸線Ｐを空気調和機１０の奥行方向に沿うようにして配置されると共に、遠心送風機１８の左右両側には一対の熱交換器２５が遠心送風機１８の回転軸線Ｐと直交する左右方向で遠心送風機１８と部分的に重なり合うように配置されている。そのため、奥行方向のコンパクト化が可能となる。また、空調運転停止中は、ベルマウス１９が後方に移動されてケーシング１１内に収納されるので、空調運転停止中における空気調和機１０の薄型化を図ることが可能となる。【選択図】      図１
2006284089.tif 000002
【特許請求の範囲】
【請求項１】
空気の吸込口及び吹出口がそれぞれ設けられたケーシング内に、遠心送風機を、該遠心送風機の回転軸線がケーシングの奥行方向に沿うように配置すると共に、熱交換器を、前記遠心送風機の回転軸線と直交する方向で該遠心送風機と少なくとも部分的に重なり合うように配置した空気調和機であって、
前記遠心送風機のシュラウドの前方に配置されるベルマウスを、前記回転軸線方向に移動可能に構成し、空調運転中は、前記ベルマウスを前方に移動させて配置し、空調運転停止中は、前記ベルマウスを後方に移動させて前記ケーシング内に収納することを特徴とする空気調和機。
【請求項２】
前記ケーシングの前面に形成した吸込口にフラップを開閉可能に設け、空調運転開始時に、前記ベルマウスを前方に移動させると共に、前記フラップを開くように構成したことを特徴とする請求項１に記載の空気調和機。
【請求項３】
前記ケーシングの前面に形成した吸込口にフラップを開閉可能に設け、空調運転開始時に、前記フラップを開いた後に、前記ベルマウスを前方に移動させるように構成したことを特徴とする請求項１に記載の空気調和機。
【請求項４】
空調運転停止中は、前記ベルマウスが前記シュラウドの前方端に接触するまで後方に移動させて収納することを特徴とする請求項１〜３のいずれか１項に記載の空気調和機。
【請求項５】
前記ケーシングの前面に形成した吸込口にフィルタを設け、該フィルタを前記ベルマウスと共に移動させるように構成したことを特徴とする請求項１〜４のいずれか１項に記載の空気調和機。
【請求項６】
前記フィルタを保持するフィルタ枠と前記ベルマウスとを一体的に構成したことを特徴とする請求項５に記載の空気調和機。
【発明の詳細な説明】
【技術分野】
【０００１】
本発明は、ケーシング内に熱交換器と送風機とを備えた空気調和機に関する。
【背景技術】
【０００２】
従来、この種の空気調和機としては、例えば特許文献１に記載されるような空気調和機の室内機（以下、「第１従来空調機」という。）が知られている。この第１従来空調機では、箱状ケーシング内に、ケーシング前面の吸込口に対向させて熱交換器を配置すると共に、該熱交換器の背面側に遠心送風機を配置している。そして、前記遠心送風機の回転駆動に伴って前記吸込口から前記ケーシング内に吸い込まれた空気が、前記熱交換器を通過して温度調整された後、前記ケーシングの上面及び左右各面に設けられた吹出口から前記ケーシング外へ吹き出されるようにしている。
【０００３】
また、送風機に遠心送風機を用いている上記第１従来空調機とは別に、例えば特許文献２に記載されるように、送風機にクロスフロー送風機を用いた空調用室内機（以下、「第２従来空調機」という。）も知られている。この第２従来空調機では、箱状ケーシング内の上部にクロスフロー送風機を配置すると共に、該送風機よりも下方となるケーシング内位置に熱交換器を配置している。そして、クロスフロー送風機の回転駆動に伴って前記ケーシングの前面上部に設けられた吸気グリルから前記ケーシング内に吸い込まれた空気が、前記熱交換器を通過して温度調整された後、前記ケーシングの前面下部に設けられた吹出グリルから前記ケーシング外へ吹き出されるようにしている。
【特許文献１】特開平１０−１２２５８９号公報（請求項１、段落番号［００２６］、図２）
【特許文献２】特開平９−２１７９４２号公報（請求項１、図１及び図２）
【発明の開示】
【発明が解決しようとする課題】
【０００４】
ところで、近時における空気調和機には、その設置スペースを少なくしたいという観点から、奥行方向のコンパクト化、即ち薄型コンパクト化が要請されている。特に、該空気調和機が室内壁面等に設置される壁掛け式室内機として構成される場合には、室内のインテリア性を向上させるために、そのような薄型コンパクト化の要請が高い。
【０００５】
この点、上記第１従来空調機の場合は、ケーシング内で熱交換器と遠心送風機とが奥行方向に重なり合う配置態様となっているため、薄型コンパクト化という要請に対して充分に応えているとは言い難かった。一方、上記第２従来空調機の場合は、ケーシング内で熱交換器とクロスフロー送風機とが上下方向に重なり合う配置態様となっているため、上記第１従来空調機に比べて薄型コンパクト化の要請に応えるものとなっている。しかし、この第２従来空調機において薄型コンパクト化を図るには、クロスフロー送風機のファン径を小さくすることが考えられるが、そのようにした場合は、風量が低下して空気調和機としての性能が低下するため、性能を維持しながら薄型コンパクト化を図ることは容易なことではなかった。
【０００６】
本発明の目的は、ケーシング内に熱交換器と送風機とを配置してなる空気調和機であって、空気調和機としての性能を低下させることなく、奥行方向のコンパクト化（薄型コンパクト化）の要請に対して充分に応えることができる空気調和機を提供することにある。
【課題を解決するための手段】
【０００７】
請求項１に係る発明は、空気の吸込口及び吹出口がそれぞれ設けられたケーシング内に、遠心送風機を、該遠心送風機の回転軸線がケーシングの奥行方向に沿うように配置すると共に、熱交換器を、前記遠心送風機の回転軸線と直交する方向で該遠心送風機と少なくとも部分的に重なり合うように配置した空気調和機であって、
前記遠心送風機のシュラウドの前方に配置されるベルマウスを、前記回転軸線方向に移動可能に構成し、空調運転中は、前記ベルマウスを前方に移動させて配置し、空調運転停止中は、前記ベルマウスを後方に移動させて前記ケーシング内に収納することを特徴とする空気調和機である。
【０００８】
本発明では、ケーシング内で遠心送風機と熱交換器とがケーシングの奥行方向に重なり合う配置態様にならず、ケーシングの奥行方向と直交する方向で重なり合う配置態様となるため、空気調和機の奥行方向のコンパクト化、即ち薄型化の要請にも好適に対応することができる。また、空調運転停止中はベルマウスが後方に移動してケーシング内に収納されるので、空調運転停止中における空気調和機の薄型化を図ることが可能となる。
【０００９】
請求項２に係る発明は、前記ケーシングの前面に形成した吸込口にフラップを開閉可能に設け、空調運転開始時に、前記ベルマウスを前方に移動させると共に、前記フラップを開くように構成したことを特徴としている。
【００１０】
本発明では、空調運転開始時にベルマウスが前方に移動すると共にフラップが開き、空調運転停止中はベルマウスは後方に移動してケーシング内に収納され、フラップは閉じる。これによって、空調運転停止中における空気調和機の薄型化を図ることができる。
【００１１】
請求項３に係る発明は、前記ケーシングの前面に形成した吸込口にフラップを開閉可能に設け、空調運転開始時に、前記フラップを開いた後に、前記ベルマウスを前方に移動させるように構成したことを特徴としている。
【００１２】
本発明では、空調運転開始時にフラップが開いた後にベルマウスが前方に移動し、空調運転停止中はベルマウスは後方に移動してケーシング内に収納され、フラップは閉じる。これによって、空調運転停止中における空気調和機の薄型化を図ることができる。
【００１３】
請求項４に係る発明は、空調運転停止中は、前記ベルマウスが前記シュラウドの前方端に接触するまで後方に移動させて収納することを特徴としている。
本発明では、空調運転停止中はベルマウスがシュラウドの前方端に接触した状態で収納される。この状態は、ベルマウスが最大限後方側に移動した状態であるので、空調運転停止中における空気調和機の薄型化をより図ることが可能となる。
【００１４】
請求項５に係る発明は、前記ケーシングの前面に形成した吸込口にフィルタを設け、該フィルタを前記ベルマウスと共に移動させるように構成したことを特徴としている。
本発明では、フィルタがベルマウスと共に前方側に移動するので、フィルタの着脱作業が容易になり、メンテナンス性が向上する。
【００１５】
請求項６に係る発明は、前記フィルタを保持するフィルタ枠と前記ベルマウスとを一体的に構成したことを特徴としている。
本発明では、フィルタ枠とベルマウスとが一体的に構成されるので、構成の簡素化を図ることができる。
【発明の効果】
【００１６】
請求項１に係る発明によれば、ケーシング内で遠心送風機と熱交換器とがケーシングの奥行方向と直交する方向で重なり合う配置態様となるため、空気調和機の奥行方向のコンパクト化、即ち薄型化の要請にも好適に対応することができる。また、空調運転停止中はベルマウスが後方に移動してケーシング内に収納されるので、空調運転停止中における空気調和機の薄型化を図ることが可能となる。
【００１７】
また請求項２または３に係る発明によれば、ケーシングの前面に形成した吸込口にフラップを形成した場合、空調運転停止中はフラップが閉じるので、空調運転停止中における空気調和機の薄型化を図ることができる。
【００１８】
また請求項４に係る発明によれば、空調運転停止中はベルマウスがシュラウドの前方端に接触した状態で収納されるので、空調運転停止中における空気調和機の薄型化をより図ることが可能となる。
【００１９】
また請求項５に係る発明によれば、フィルタがベルマウスと共に前方側に移動するので、フィルタの着脱作業が容易になり、メンテナンス性が向上する。また請求項６に係る発明によれば、フィルタ枠とベルマウスとが一体的に構成されるので、構成の簡素化を図ることができる。
【発明を実施するための最良の形態】
【００２０】
以下、本発明を空気調和機の室内機に具体化した一実施形態を、図１〜図６を参照しながら説明する。図１は、本実施形態である空気調和機１０の横断面図であり、（ａ）は空調運転中の状態を示し、（ｂ）は空調運転停止中の状態を示している。また図２は、空気調和機１０の斜視図であり、（ａ）は空調運転中の状態を示し、(ｂ)は空調運転停止中の状態を示している。また図３は、空気調和機１０の縦断面図であり、（ａ）は空調運転中の状態を示し、（ｂ）は空調運転停止中の状態を示している。
【００２１】
図１〜図３に示すように、本実施形態の空気調和機１０は、横長箱状のケーシング１１を備えており、該ケーシング１１の背面（後面）を室内壁面（例えば、天井間近で横梁状をなす縦幅の狭い壁面部分）に対向させた状態で設置される壁掛け式薄型の室内機として構成されている。
【００２２】
ケーシング１１は、前面側が開口したケーシング本体１２と、該ケーシング本体１２の前面側を閉塞する前面パネル１３とから構成されている。前面パネル１３の表面側（前面側）において左右方向へ離間した２箇所には、複数の長尺フラップ９が上下方向に列設されてなる吸込口１４がそれぞれ設けられている。
【００２３】
また、２つの吸込口１４の間と各吸込口１４の外側（右側と左側）との３箇所には、複数の短尺フラップ８が上下方向に列設されてなる吹出口１５がそれぞれ設けられている。なお、図２では、中央と右側の吹出口１５については短尺フラップ８を省略し、右側の吸込口１４については長尺フラップ９及び後述するエアフィルタ１７を省略している。
【００２４】
次に、ケーシング１１内の部材配置構成を説明する。ケーシング本体１２内は、図３に示すように、水平仕切板１によって上側収納部２と下側収納部３とに区分されている。ケーシング１１内の下側収納部３には、電装品箱４、冷媒配管５、ドレン配管６などが配置されている。
【００２５】
一方、ケーシング本体１２内の上側収納部２には、複数（左右一対）の遠心送風機１８が、回転軸線Ｐを前後方向、即ちケーシング１１の奥行方向に沿わせた状態で各吸込口１４と各別に対向するように配置されている。そして、それら各別に対向する吸込口１４と遠心送風機１８との間には、正面視円環状をなす空気ガイドであるベルマウス１９が各遠心送風機１８と同軸配置となるように配置されている。
【００２６】
各ベルマウス１９は、遠心送風機１８側となる後面側から吸込口１４側となる前面側、即ちケーシング１１の奥行方向手前側に向けて末広がり状をなすように形成されている。そして、各ベルマウス１９は、その前端縁が前面パネル１３に対して吸込口１４の背面側に形成されたガイド部材２８で支持されることによって、遠心送風機１８の回転軸線Ｐに沿って前後方向に移動可能にケーシング１１に対して取り付けられている。また、各ベルマウス１９は、その前端縁よりも小径に形成された後端縁が遠心送風機１８の前端近傍まで延設され、吸込口１４からケーシング１１内に流入した空気を遠心送風機１８に向けて円滑にガイドするようになっている。
【００２７】
また、ベルマウス１９の前端縁には、フィルタ枠１６が一体的に形成されており、このフィルタ枠１６にはエアフィルタ１７が着脱可能に保持されている。そして、エアフィルタ１７の前方側には、上述した長尺フラップ９が配置されている。本実施形態では、フィルタ枠１６が一体形成されたベルマウス１９と長尺フラップ９とが、駆動機構によって回転軸線Ｐに沿って前後方向に移動可能となるように構成されている。
【００２８】
図４は、空調運転開始時のベルマウス１９（フィルタ枠１６）および長尺フラップ９の動作を示す模式図であり、図５は空調運転停止時の動作を示す模式図である。なお、図４及び図５では、構成を簡略化して示すために、ベルマウス１９全体を示さずに、前端縁のフィルタ枠１６を示している。また、移動軸３３と長孔３４とは、本来はかくれ線（破線）で示されるものであるが、動作をわかりやすくするために、実線で示している。
【００２９】
長尺フラップ９とフィルタ枠１６とは、下端部が棒状の連結部材３０で連結されている。連結部材３０は、フィルタ枠１６に対しては固定され、長尺フラップ９に対しては支持軸３０ａまわりに回動可能に取り付けられる。連結部材３０の上方には、上面側にラック３１ａが形成された略棒状のラック部材３１が配置されており、このラック部材３１は、回転軸線Ｐに沿って移動可能となるように図示しないガイド部材によって支持されている。ラック部材３１のラック３１ａには、歯車３２が噛み合わされており、この歯車３２を図示しないモータによって回転駆動させることによって、ラック部材３１は回転軸線Ｐに沿って前後方向に移動する。
【００３０】
ラック部材３１の前方側端部は、長尺フラップ９に対して回動可能に取り付けられている。また、ラック部材３１には、フィルタ枠１６に対向する部位に移動軸３３が形成されている。一方、フィルタ枠１６には、移動軸３３が嵌入する長孔３４が形成されている。長孔３４は、回転軸線Ｐに沿って形成されている。したがって、移動軸３３が長孔３４の前方端または後方端に当接して押すことによって、フィルタ枠１６（ベルマウス１９）は前方または後方に移動する。なお、長尺フラップ９は、連結部材３０とラック部材３１とによってフィルタ枠１６に連結されているので、フィルタ枠１６の移動に伴って一体的に移動する。
【００３１】
空調運転停止中は、図４（ａ）に示すように、長尺フラップ９は、その表面が前面パネル１３の表面と同一平面をなすような位置に配置されて閉じている。また、フィルタ枠１６（ベルマウス１９）は、遠心送風機１８のシュラウド２４の前方端に接触する位置に配置されている。このとき、移動軸３３は、長孔３４の後方端に当接している。
【００３２】
空調運転の開始が指示されると、歯車３２を矢印Ｒ１方向（図４では時計回り）に回転させる。これによって、ラック部材３１が前方に移動する。このとき、移動軸３３が長孔３４の前方端に当接するまでは、フィルタ枠１６は移動しないので、図４（ｂ)に示すように、長尺フラップ９が連結部材３０の支持軸３０ａを回転軸として回転し、上端側が開く。
【００３３】
そして、移動軸３３が長孔３４の前方端に当接した後は、移動軸３３がフィルタ枠１６を押すので、フィルタ枠１６が前方に移動する。このとき、長尺フラップ９とフィルタ枠１６とは連結されているので、図４（ｃ）に示すように、フィルタ枠１６の移動に伴って、長尺フラップ９も開いた状態で前方に移動する。そして、フィルタ枠１６の前端縁が前面パネル１３近傍に到達した時点で、歯車３２を停止させて、フィルタ枠１６の移動を停止させる。このように、本実施形態では、空調運転開始時に、長尺フラップ９が開いてからベルマウス１９（フィルタ枠１６）が前方に移動するように構成されている。
【００３４】
一方、空調運転の停止が指示されると、図５（ａ）に示すように、歯車３２を矢印Ｒ２（図５では反時計回り）に回転させる。これによって、ラック部材は３１が後方に移動する。このとき、移動軸３３が長孔３４の後方端に当接するまでは、フィルタ枠１６は移動しないので、図５（ｂ）に示すように、長尺フラップ９が連結部材３０の支持軸３０ａを回転軸として回転し、上端側が閉じる。
【００３５】
そして、移動軸３３が長孔３４の後方端に当接した後は、移動軸３３がフィルタ枠１６を押すので、フィルタ枠１６が後方に移動する。このとき、長尺フラップ９とフィルタ枠１６とは連結されているので、図５（ｃ）に示すように、フィルタ枠１６の移動に伴って、長尺フラップ９も閉じた状態で後方に移動する。そして、ベルマウス１９が遠心送風機１８のシュラウド２４の前方端に接触し、かつ長尺フラップ９の表面と前面パネル１３の表面とが同一平面をなすような位置に到達した時点で、歯車３２を停止させて、フィルタ枠１６の移動を停止させる。
【００３６】
このように、本実施形態の空気調和機１０は、空調運転停止中は、ベルマウス１９を後方に移動させて、エアフィルタ１７および長尺フラップ９と共に、ケーシング１１内に収納するように構成されている。したがって、ベルマウス１９を後方に移動させることなく、エアフィルタ１７および長尺フラップ９と共にケーシング１１内に収納するように構成した場合に比べて、奥行方向の長さを小さくすることができる。図６（ａ）は、ベルマウス１９を後方に移動させることなく、エアフィルタ１７および長尺フラップ９と共にケーシング１１内に収納するように構成した比較例を示し、図６（ｂ）は本実施形態の空気調和機１０を示している。図６に示すように、本実施形態の奥行方向長さＷ１は、比較例の奥行方向長さＷ２に比べて、ベルマウス１９の移動長さＬだけ小さくすることができる。
【００３７】
再び図１〜図３を参照して、ケーシング１１内の部材配置構成を説明する。遠心送風機１８は、略円盤形状をなすハブ２０と該ハブ２０の外周部前面から前方へ向けて突設された多数枚の円弧片状の羽根２１とを備えてなる羽根部２２と、該羽根部２２を回転駆動させるためのモータ２３と、羽根部２２の前端側に配置されるシュラウド２４とを備えている。この遠心送風機１８は、羽根部２２の回転駆動に基づき発生する遠心力によって、該遠心送風機１８内から空気を回転軸線Ｐと直交する遠心方向（ラジアル方向）へ向けて吹き出す遠心送風機能を有するものである。そして、各遠心送風機１８は、ケーシング１１の後側壁面に各モータ２３が固定されると共に、該各モータ２３から前方へ向けて回転軸線Ｐに軸線を一致させるように突設された支持軸２３ａの先端部に、各遠心送風機１８の羽根部２２が回動自在に支持されている。
【００３８】
また、ケーシング本体１２内において、遠心送風機１８の左右両側には、該遠心送風機１８を左右両側から挟むようにして、左右一対の熱交換器２５が配置されている。各熱交換器２５は、複数の伝熱プレートを積層すると共に、各伝熱プレート間にそれぞれ複数のフィンを前記伝熱プレートの積層方向に直交する方向に配列して構成される。本実施形態では各熱交換器２５は、伝熱プレートの積層方向が遠心送風機１８の回転軸線Ｐに平行となり、フィンの配列方向が遠心送風機１８の回転軸線Ｐを含む垂直平面に対して平行となるように配置されている。
【００３９】
即ち、各熱交換器２５は、遠心送風機１８の回転軸線Ｐを中心とした場合に１８０度の角度間隔をおいた位置に各熱交換器２５の中心が位置するように配置されており、左右で対をなす各熱交換器２５どうしは遠心送風機１８の回転軸線Ｐを含む垂直平面を対称面とした場合に面対称となる配置態様に配置されている。そして、このような配置態様としたことによって、各熱交換器２５は、遠心送風機１８の回転軸線Ｐと直交する方向で該遠心送風機１８とそれぞれ部分的に重なり合うことになる。本実施形態では、遠心送風機１８の回転軸線Ｐに沿う方向を奥行方向とした場合に、遠心送風機１８の奥行方向長さ全体が熱交換器２５の奥行方向長さの一部に重なり合う配置態様とされている。
【００４０】
また、ケーシング本体１２内において、遠心送風機１８から見た場合における熱交換器２５の背面側には、該熱交換器２５との対向面に円弧面状のガイド面２６ａを備えたガイドブロック２６がそれぞれ配置されている。そして、各ガイドブロック２６と各熱交換器２５との間には、吹出口１５に連通する空気吹出流路２７が設けられている。そのため、遠心送風機１８からラジアル方向に吹き出された空気は、熱交換器２５の各フィン間を通過した後、その空気吹出流が空気吹出流路２７内においてガイド面２６ａに沿って円滑に吹出口１５の方向へ案内されることになる。
【００４１】
次に、上記のように構成された本実施形態の空気調和機１０における動作を説明する。空調運転が指示されると、吸込口１４の前面側に配置されている長尺フラップ９が開くと共に、ベルマウス１９が回転軸線Ｐに沿って前方側に移動する。その後、モータ２３の駆動力に基づいて遠心送風機１８の羽根部２２が回転駆動されると、図３の矢印Ａで示すように、ケーシング１１内には吸込口１４から空気が吸い込まれる。吸い込まれた空気は、エアフィルタ１７を通過した後、ベルマウス１９の内面に沿って滑らかに遠心送風機１８へと案内される。そして、遠心送風機１８内に流入した空気は、該遠心送風機１８の遠心送風機能によって、図１に矢印ａで示すように、回転軸線Ｐと直交するラジアル方向へ吹き出される。
【００４２】
遠心送風機１８から吹き出された空気は、該遠心送風機１８の左右両側に平行状態に立設配置された各熱交換器２５の各フィン間を通過し、その際に伝熱プレートを介して熱交換器２５内を流れる冷媒との熱交換によって温度調整（加熱又は冷却）される。ここで、遠心送風機１８の左右両側に配置された各熱交換器２５どうしは、遠心送風機１８の回転軸線Ｐを含む垂直平面を対称面とした場合に面対称となる配置態様とされている。そのため、各熱交換器２５を通過して当該各熱交換器２５の背面から吹き出される空気の風量分布は左右ほぼ均一とされる。
【００４３】
その後、各熱交換器２５の背面から吹き出された空気は、当該各熱交換器２５とガイドブロック２６との間に形成された空気吹出流路２７内へ流入する。該空気吹出流路２７内において、空気は図１に矢印ｂで示すように、その空気吹出流の方向が、ガイドブロック２６の内面側に形成された円弧面状をなすガイド面２６ａによって、前面側の吹出口１５に向けて滑らかに案内される。そのため、空気は、空気吹出流路２７内での空気吹出流の圧力損失が好適に低減される。
【００４４】
そして、空気吹出流路２７内を吹出口１５まで導かれた空気は、該吹出口１５からケーシング１１外へと吹き出される。即ち、本実施形態の空気調和機１０では、ケーシング１１の前面側から室内の空気を吸い込み、ケーシング１１の前面側から温度調整された空気を室内に吹き出す。その際、温度調整された空気は、２つの吸込口１４の間と各吸込口１４の外側とに設けられた各吹出口１５からケーシング１１外へと吹き出されることになるため、左右方向へ広範囲に亘って吹き出される。
【００４５】
また、空気調和機１０を室内壁面に設置する際には、ケーシング１１（ケーシング本体１２）の背面を室内壁面に対向させた状態にして固定される。ここで、空気調和機１０では、ケーシング１１内において、遠心送風機１８と熱交換器２５とが空気調和機１０の奥行方向となる前後方向で重なり合う配置態様でなく、奥行方向と直交する左右方向において部分的に重なり合う配置態様とされている。また、遠心送風機１８と熱交換器２５とが、ケーシング１１内において上下方向で重なり合う配置態様ともなっていない。そのため、空気調和機１０の前後方向及び上下方向のサイズがコンパクトとなり、例えば天井間近で横梁状をなす縦幅の狭い壁面部分に対しても、室内側への出っ張りを少なくした状態で、室内インテリア性を損なわせることなく設置することが可能となる。
【００４６】
上記実施形態によれば、以下のような効果を得ることができる。
（１）上記実施形態では、ケーシング１１内で遠心送風機１８と熱交換器２５とがケーシング１１の前後方向（空気調和機１０の奥行方向）に重なり合う配置態様とならず、遠心送風機１８の回転軸線Ｐと直交する左右方向で重なり合う配置態様となれている。そのため、室内インテリア性を向上させるために掲げられる空気調和機１０の奥行方向のコンパクト化、即ち薄型コンパクト化の要請にも好適に対応することができる。また、このような配置態様とするに際して、遠心送風機１８を小型化する等ということもないため、必要充分な風量を確保でき、空気調和機１０としての性能が低下することもない。
【００４７】
（２）上記実施形態では、空調運転停止中はベルマウス１９が後方に移動して、エアフィルタ１７及び長尺フラップ９と共に、ケーシング１１内に収納されるので、空調運転停止中における空気調和機の薄型化を図ることが可能となる。
【００４８】
（３）上記実施形態では、空調運転停止中はベルマウス１９がシュラウド２４の前方端に接触した状態で収納される。この状態は、ベルマウス１９が最大限後方側に移動した状態であるので、空調運転停止中における空気調和機１０の薄型化をより図ることが可能となる。
【００４９】
（４）上記実施形態では、エアフィルタ１７がベルマウス１９と共に前方側に移動するので、エアフィルタ１７の着脱作業が容易になり、メンテナンス性が向上する。
（５）上記実施形態では、エアフィルタ１７を保持するフィルタ枠１６とベルマウス１９とが一体的に構成されるので、構成の簡素化を図ることができる。
【００５０】
なお、上記実施形態は以下のように変更してもよい。
・空調運転開始時に、ベルマウス１９を前方に移動させると共に、長尺フラップ９を開くように構成してもよい。
【図面の簡単な説明】
【００５１】
【図１】（ａ）（ｂ）は本発明の一実施形態である空気調和機の横断面図。
【図２】（ａ）（ｂ）空気調和機の外観を示す斜視図。
【図３】（ａ）（ｂ）空気調和機の縦断面図。
【図４】（ａ）（ｂ）（ｃ）は空調運転開始時のベルマウス及び長尺フラップの動作を示す模式図。
【図５】（ａ）（ｂ）（ｃ）は空調運転停止時のベルマウス及び長尺フラップの動作を示す模式図。
【図６】（ａ）は本実施形態を示す縦断面図、（ｂ）は比較例を示す縦断面図。
【符号の説明】
【００５２】
８…短尺フラップ、９…長尺フラップ、１０…空気調和機、１１…ケーシング、１２…ケーシング本体、１３…前面パネル、１４…吸込口、１５…吹出口、１６…フィルタ枠、１７…エアフィルタ、１８…遠心送風機、１９…ベルマウス、２０…ハブ、２１…羽根、２２…羽根部、２３…モータ、２３ａ…支持軸、２４…シュラウド、２５…熱交換器、２６…ガイドブロック、２６ａ…ガイド面、２７…空気吹出流路、２８…ガイド部材、３０…連結部材、３０ａ…支持軸、３１…ラック部材、３１ａ…ラック、３２…歯車、３３…移動軸、３４…長孔、Ｐ…回転軸線。
【図１】
2006284089.tif 000003
【図２】
2006284089.tif 000004
【図３】
2006284089.tif 000005
【図４】
2006284089.tif 000006
【図５】
2006284089.tif 000007
【図６】
2006284089.tif 000008